(57)【要約】【課題】電池ケース17を器具本体14に対して容易に着脱でき、電池交換の作業性を向上できる照明器具11を提供する。【解決手段】器具本体14は、天井板の埋込孔に埋め込み設置する。電池ケース17を器具本体14の下面開口部26および側面開口部27を通じて天井板の上方域に挿入し、電池ケース17に取り付けた板ばね18を器具本体14の取付板25の板ばね取付孔30に下方から挿入する。取付板25の板ばね取付孔30に挿入した板ばね18は、取付板25上に係止され、電池ケース17を器具本体14に取り付ける。板ばね18を操作して取付板25の板ばね取付孔30から外し、電池ケース17を器具本体14から外す。電池ケース17を器具本体14に容易に着脱でき、電池交換の作業性を向上できる。【選択図】図１
2008269994.tif 000002
【特許請求の範囲】
【請求項１】
下面開口部、側面開口部、および板ばね取付孔または板ばねが設けられた上部の取付板を有し、天井板の埋込孔に埋め込み設置される器具本体と；
非常用電源となる電池が収納され、器具本体の下面開口部および側面開口部を通じて天井板の上方域に着脱可能に配置される電池ケースと；
電池ケースの一端に設けられ、取付板の板ばね取付孔に挿入または取付板の板ばねに係合して取付板に着脱可能に係止する係止手段と；
通常電源と電池の非常用電源とで切り換えて光源を点灯させる点灯装置と；
を具備していることを特徴とする照明器具。
【請求項２】
係止手段は、板ばねであって、この板ばねは、電池ケースに取り付けられる取付部、取付部から延設されるとともに折り返されていて取付板の板ばね取付孔に挿入される折返し部、先端側が取付部から離反するように折返し部から傾斜状に延設されていて先端側に取付板上に当接する当接部が設けられた係止部、係止部に連結されていて取付板の板ばね取付孔の内面に当接する規制部、規制部から延設されていて取付板の板ばね取付孔の下方に突出配置される係止解除操作部を備えた
ことを特徴とする請求項１記載の照明器具。
【発明の詳細な説明】
【技術分野】
【０００１】
本発明は、非常用電源となる電池を備えていて非常点灯可能な埋込形の照明器具に関する。
【背景技術】
【０００２】
従来、非常点灯可能な埋込形の照明器具では、器具本体、非常用電源となる電池を収納する電池ケース、通常電源と電池の非常用電源とで切り換えて光源を点灯させる点灯装置などを備えている。器具本体の上部には取付板が配置され、この取付板における器具本体の中心に対して反対側となる位置に点灯装置と電池ケースとがそれぞれ水平状に支持された状態で取り付けられている。
【０００３】
この照明器具を天井板の埋込孔に設置する場合には、点灯装置が取り付けられていて電池ケースが取り付けられていない状態の器具本体を天井板の埋込孔に下方から点灯装置および器具本体の順に挿入して設置した後、電池ケースを器具本体の内側から天井板の上方域に挿入するとともに器具本体の取付板に差し込んで仮止めした後、電池ケースを器具本体の取付板にねじ止め固定している（例えば、特許文献１参照。）。
【特許文献１】特開２００２−１９０２０１号公報（第３頁、図１−３）
【発明の開示】
【発明が解決しようとする課題】
【０００４】
しかしながら、従来の電池ケースの取付構造では、電池ケースを器具本体の取付板に差し込んで仮止めできるものの、仮止めしただけでは振動などによって電池ケースが脱落するおそれがあるために、電池ケースをねじ止め固定する必要があるので、電池ケースの着脱に手間がかかり、電池交換の作業性が悪い問題がある。
【０００５】
本発明は、このような点に鑑みなされたもので、電池ケースを器具本体に対して容易に着脱でき、電池交換の作業性を向上できる照明器具を提供することを目的とする。
【課題を解決するための手段】
【０００６】
請求項１記載の照明器具は、下面開口部、側面開口部、および板ばね取付孔または板ばねが設けられた上部の取付板を有し、天井板の埋込孔に埋め込み設置される器具本体と；非常用電源となる電池が収納され、器具本体の下面開口部および側面開口部を通じて天井板の上方域に着脱可能に配置される電池ケースと；電池ケースの一端に設けられ、取付板の板ばね取付孔に挿入または取付板の板ばねに係合して取付板に着脱可能に係止する係止手段と；通常電源と電池の非常用電源とで切り換えて光源を点灯させる点灯装置と；を具備しているものである。
【０００７】
器具本体は、例えば、天井板の下面側に係合するフランジから一対の側枠が立設され、これら側枠上に取付板が取り付けられる場合、下面開口部がフランジの内側に形成され、側面開口部が側面の一対の側枠を除く部分に形成される。器具本体には、例えば、器具本体を天井板に固定する固定手段、光源を装着するソケット、下面開口部に配置される反射体などが取り付けられる。
【０００８】
電池ケースは、例えば、ケース本体とこのケース本体に着脱可能な蓋体とで構成されることにより、電池を着脱可能とする。電池には、例えば、通常電源で充電可能な二次電池が用いられる。
【０００９】
係止手段は、取付板に設けられた板ばね取付孔に挿入されて取付板に着脱可能に係止する板ばねでも、取付板に設けられた板ばねに係合して取付板に着脱可能に係止する板ばね取付孔などのどちらでもよい。
【００１０】
点灯装置は、例えば、通常電源と電池の非常用電源とのいずれでも光源を点灯でき、通常電源の停電時に非常用電源に切り換えて光源を点灯させる。光源は、例えば、蛍光ランプ、発光ダイオードなどが用いられる。
【００１１】
そして、係止手段を設けた電池ケースを器具本体の下面開口部および側面開口部を通じて天井板の上方域に挿入し、係止手段を取付板の板ばね取付孔に挿入または取付板の板ばねに係合するだけで係止手段が取付板に係止され、電池ケースを器具本体に取りけることができ、また、板ばねの利用により取付板から外すことも可能であり、したがって、器具本体に対する電池ケースの着脱が容易になり、電池交換の作業性が向上される。しかも、器具本体と電池ケースとの間に板ばねを介在させことにより、板ばねが振動を吸収し、器具本体および電池ケースの両方について振動による影響が軽減される。
【００１２】
請求項２記載の照明器具は、請求項１記載の照明器具において、係止手段は、板ばねであって、この板ばねは、電池ケースに取り付けられる取付部、取付部から延設されるとともに折り返されていて取付板の板ばね取付孔に挿入される折返し部、先端側が取付部から離反するように折返し部から傾斜状に延設されていて先端側に取付板上に当接する当接部が設けられた係止部、係止部に連結されていて取付板の板ばね取付孔の内面に当接する規制部、規制部から延設されていて取付板の板ばね取付孔の下方に突出配置される係止解除操作部を備えたものである。
【００１３】
取付板の板ばね取付孔には、折返し部および係止部とともに取付部の一部も挿入されてもよい。
【００１４】
係止部の先端側は、例えば、当接部を頂点としてＶ字形に折曲されて規制部に接続され、そのＶ字形頂点の当接部のみが取付板上に当接するように構成されていてもよい。
【００１５】
そして、電池ケースの取付時には、板ばねを折返し部側から取付板の板ばね取付孔に挿入することにより、先端側が取付部から離反するように折返し部から傾斜状に延設されている係止部の先端側の当接部が取付板上に当接して抜け止め係止されるとともに、係止部に連結されている規制部が取付板の板ばね取付孔の内面に当接して、係止部の当接部が取付板上に当接した抜け止め係止状態が保持される。そして、この抜け止め係止状態において、係止部の当接部が取付板上から板ばね取付孔上に移動して外れるには、傾斜状の係止部が取付板に対して立ち上がるように変位しなければならず、つまり係止部を介して折返し部および取付部とともに電池ケースの一端側が持ち上がらなければならないため、係止部が取付板上から外れにくい。また、規制部から延設されていて取付板の板ばね取付孔の下方に突出配置される係止解除操作部を操作して、係止部の当接部を取付板上から板ばね取付孔上に強制的に移動させることにより、板ばねを取付板の板ばね取付孔から下方へ抜き外せる。
【発明の効果】
【００１６】
請求項１記載の照明器具によれば、係止手段を設けた電池ケースを器具本体の下面開口部および側面開口部を通じて天井板の上方域に挿入し、係止手段を取付板の板ばね取付孔に挿入または取付板の板ばねに係合するだけで係止手段が取付板に係止され、電池ケースを器具本体に取りけることができ、また、板ばねの利用により取付板から外すことも可能であり、したがって、電池ケースを器具本体に容易に着脱でき、電池交換の作業性を向上できる。しかも、器具本体と電池ケースとの間に板ばねを介在させことにより、板ばねが振動を吸収し、器具本体および電池ケースの両方について振動による影響を軽減できる。
【００１７】
請求項２記載の照明器具によれば、請求項１記載の照明器具の効果に加えて、電池ケースの取付時には、板ばねを折返し部側から取付板の板ばね取付孔に挿入することにより、先端側が取付部から離反するように折返し部から傾斜状に延設されている係止部の先端側の当接部が取付板上に当接して抜け止め係止できるとともに、係止部に連結されている規制部が取付板の板ばね取付孔の内面に当接して、係止部の当接部が取付板上に当接した抜け止め係止状態を保持でき、そして、この抜け止め係止状態において、係止部の当接部が取付板上から板ばね取付孔上に移動して外れるには、傾斜状の係止部が取付板に対して立ち上がるように変位しなければならず、つまり係止部を介して折返し部および取付部とともに電池ケースの一端側が持ち上がらなければならないため、係止部が取付板上から外れにくくでき、また、規制部から延設されていて取付板の板ばね取付孔の下方に突出配置される係止解除操作部を操作して、係止部の当接部を取付板上から板ばね取付孔上に強制的に移動させることにより、板ばねを取付板の板ばね取付孔から下方へ抜き外すことができ、板ばねを取付板の板ばね取付孔に容易に着脱できる。
【発明を実施するための最良の形態】
【００１８】
以下、本発明の一実施の形態を、図面を参照して説明する。
【００１９】
図１ないし図７に第１の実施の形態を示し、図１は照明器具の斜視図、図２は照明器具の電池ケース取付用の板ばねの斜視図、図３は照明器具の側面部、図４は照明器具の平面図、図５は照明器具の板ばね部分の拡大断面図、図６は照明器具の電池ケースの平面図、図７は電池ケースの側面図である。
【００２０】
図１、図３および図４に示すように、照明器具11は、天井板12に形成された円形の埋込孔13に埋め込み設置される埋込形のダウンライトで、器具本体14、この器具本体14に取り付けられる反射体15、電池16を収納した電池ケース17、器具本体14に電池ケース17を取り付ける係止手段としての板ばね18、点灯装置19を収納していて器具本体14に取り付けられた点灯装置ケース20などを備えている。
【００２１】
そして、器具本体14は、環状のフランジ23、このフランジ23の円周上の対称位置から立設された一対の側枠24、これら側枠24の上部に取り付けられた取付板25を備え、フランジ23の内側に円形の下面開口部26が形成され、一対の側枠24を除く側面の部分に側面開口部27が形成されている。なお、図３には側枠24を省略して示している。
【００２２】
取付板25は一対の側枠24の対向方向に対して交差する一側方向に向けて延設されていて、その延設方向の先端側に点灯装置ケース取付部28が形成されているとともに、この点灯装置ケース取付部28の側部に電池ケース取付部29が形成されている。この電池ケース取付部29には、板ばね18が着脱可能に係止される板ばね取付孔30が形成されている。この板ばね取付孔30は、取付板25の外側寄りに形成されるスリット部31、およびこのスリット部31の中央で取付板25の内側寄りに形成される孔部32を有している。
【００２３】
取付板25の下面には、例えば蛍光ランプなどの光源33を装着するソケット34が取り付けられているとともに、図示しない端子台が取り付けられている。
【００２４】
各側枠24には、器具本体14を天井板12の埋込孔13に挿入してフランジ23が天井板12の下面に当接した状態で、天井板12の上面に係合して器具本体14を天井板12に固定する図示しない固定手段が設けられている。
【００２５】
また、反射体15は、内側に光源33が配置されるように下方に拡開する円筒状に形成され、下部には器具本体14のフランジ23を覆う環状の化粧板37が取り付けられ、図示しない取付ばねなどを用いた取付手段により器具本体14に対して着脱可能に取り付けられている。
【００２６】
また、電池16は、例えば、商用電源などの通常電源によって充電可能な二次電池が用いられている。図示していないが、この電池16に電気的に接続されたケーブルが電池ケース17から引き出され、このケーブルの先端のコネクタが点灯装置19に電気的に接続可能としている。
【００２７】
また、図６および図７に示すように、電池ケース17は、ケース本体40、このケース本体40に着脱可能に被せられる蓋体41、およびこの蓋体41をケース本体40に固定する化粧ねじ42とで構成されている。
【００２８】
ケース本体40は、上面を開口した長方形の箱形に形成されており、その長手方向の一端からは平板状のアーム部43が延設され、このアーム部43の先端から下側に向けて折曲されて板ばね18が取り付けられる板ばね取付部44が形成されている。アーム部43と板ばね取付部44とのなす角度は９０°よりも小さい角度に設定されている。アーム部43の他端側近傍には化粧ねじ42が螺着されている。
【００２９】
蓋体41は、ケース本体40の一端側を除くケース本体40の側面に係合してケース本体40の上面を閉塞可能とし、他端側にはケース本体40の底面側に係合する係合片45が形成されている。蓋体41の上面一端側には、ケース本体40に螺着されている化粧ねじ42の頭部である操作部42aが挿通可能とする孔部46と化粧ねじ42のねじ軸部42bのみが挿通可能とする溝部47とを有するだるま孔形状の固定孔48が形成されている。蓋体41の一端側に孔部46が、他端側に溝部47がそれぞれ配置されている。そして、蓋体41は、化粧ねじ42に対して固定孔48の孔部46が位置するときに係合片45がケース本体40の下面から外れており、蓋体41が一端側にスライドされて化粧ねじ42のねじ軸部42bに固定孔48の溝部47が係合するときに係合片45がケース本体40の下面に係合する関係を有している。
【００３０】
また、図２および図５に示すように、板ばね18は、１枚の板ばね材料が折曲形成されたもので、電池ケース17の板ばね取付部44に取り付けられる取付部51、この取付部51から上方に延設されるとともに湾曲状に折り返されていて取付板25の板ばね取付孔30に下方から挿入される折返し部52、先端側が取付部51から離反するように折返し部52から傾斜状に延設されていて先端側に取付板25上に当接する当接部53が設けられた係止部54、この係止部54に連結されていて取付板25の板ばね取付孔30の内面に当接する規制部55、およびこの規制部55から下方へ延設されていて取付板25の板ばね取付孔30の下方に突出配置される係止解除操作部56を備えている。
【００３１】
取付部51は、幅が広く、板ばね取付孔30のスリット部31に挿入可能とし、また、折返し部52、係止部54、規制部55および係止解除操作部56は、同一幅で取付部51の幅よりも狭く、板ばね取付孔30の孔部32に挿入可能とし、これら折返し部52、係止部54、規制部55および係止解除操作部56の中央域には開口部57が形成されている。
【００３２】
取付部51の上縁部は、板ばね取付孔30のスリット部31への挿入を容易にするために折返し部52から取付部51の両側縁に向けて下降傾斜する傾斜状に形成されている。取付部51の下縁部には、板ばね取付部44の下側に係合して回り止めする断面略Ｌ字形の回り止め部58が突設されている。取付部51は板ばね取付部44に対して取付ねじ59で取り付けられており、この取付ねじ59は開口部57を通じて操作可能としている。
【００３３】
係止部54の先端側は、当接部53を頂点としてＶ字形に折曲されていて、当接部53からは取付板25上より上方へ離反するように逃げ部60が形成され、この逃げ部60から規制部55が延設されており、そのＶ字形頂点の当接部53のみが取付板25上に当接するように構成されている。
【００３４】
そして、板ばね18は、取付板25との係合部分を支点として電池ケース17の取付板25に対する上下方向への回動を許容し、取付部51がスリット部31に挿入されることで電池ケース17の取付板25に対する水平方向の回動を規制する。
【００３５】
また、点灯装置19は、商用電源である通常電源と電池16の非常用電源とのいずれでも光源33を点灯でき、通常電源の通電時には通常電源で光源33を点灯させるとともに電池16を充電し、通常電源の停電時に非常用電源に切り換えて光源33を点灯させる。
【００３６】
また、点灯装置ケース20は、長方形の箱状に形成され、この点灯装置ケース20の一端から突設された一対の連結片63が取付板25の点灯装置ケース取付部28の両側に配置されて連結ねじ64で連結されている。これにより、点灯装置ケース20は、連結ねじ64の軸を中心として取付板25に対し上下方向に回動可能に連結されている。
【００３７】
次に、本実施の形態の作用を説明する。
【００３８】
まず、照明器具11の組立について説明する。
【００３９】
器具本体14に点灯装置ケース20が連結されていて電池ケース17が外されている状態で、天井板12の埋込孔13に下方から点灯装置ケース20および器具本体14の順に挿入し、器具本体14に設けられた図示しない固定手段で器具本体14を天井板12に固定する。このとき、電池ケース17は器具本体14に対して回動可能であるため、天井板12の埋込孔13に対して容易に挿入でき、また、器具本体14を天井板12に固定した後は点灯装置ケース20の他端が自重で下降して天井板12上に載った状態に支持される。
【００４０】
電池ケース17を器具本体14の下面開口部26および側面開口部27を通じて天井板12上に挿入し、この電池ケース17の一端の板ばね18を器具本体の取付板25の板ばね取付孔30に下方から挿入するように電池ケース17を押し上げて係止し、ワンタッチする。
【００４１】
すなわち、板ばね18の折返し部52および係止部54を板ばね取付孔30の孔部32に下方から挿入していくと、取付部51が板ばね取付孔30のスリット31に挿入されていき、係止部54が板ばね取付孔30の孔部32の内面に当接して取付部51に接近するように弾性に抗して変位し、係止部54の先端側の当接部53が取付板25の上方まで挿入されると、反発力によって係止部54の先端側が取付部51から離反するように変位して当接部53が板ばね取付孔30上から取付板25上に移動するとともに、規制部55が板ばね取付孔30の内面に当接した位置で止まる。
【００４２】
電池ケース17の押し上げを解除することにより、係止部54の当接部53が天井板25上に当接して抜け止め係止し、また、電池ケース17の他端側が自重で下降して天井板12上に載った状態に支持される。このとき、電池ケース17の他端側が天井板12に載った状態での電池ケース17の傾斜角度が比較的大きいため、電池ケース17のアーム部43と板ばね取付部44とのなす角度は９０°より小さい角度とされ、板ばね18が取付板25の板ばね取付孔30に確実に取り付けられる。
【００４３】
また、電源線の端子台への配線や点灯装置19と電池16との配線をした後、反射体15を器具本体12に取り付け、光源33をソケット34に装着する。
【００４４】
次に、照明器具の使用時において、通常電源の通電時には、点灯装置19により通常電源で光源33を点灯させるとともに電池16を充電し、また、通常電源の停電時には、点灯装置19により非常用電源に切り換えて光源33を点灯させる。
【００４５】
また、電池ケース17の板ばね18が取付板25に抜け止め係止された状態において、係止部54の当接部53が取付板25上から板ばね取付孔30上に移動して外れるには、傾斜状の係止部54が取付板25に対して立ち上がるように変位しなければならず、つまり係止部54を介して折返し部52および取付部51とともに電池ケース17の一端側が持ち上がらなければならないため、係止部54が取付板25上から外れにくく、器具本体14に対する電池ケース17の取付状態を維持できる。
【００４６】
また、電池ケース17の蓋体41の他端が天井板12に当接するため、蓋体41がケース本体40に一端側に向けて閉じる方向に力が加わり、この方向は化粧ねじ42のねじ軸部42bに対して蓋体41の固定孔48の溝部47が係合する方向であり、たとえ、化粧ねじ42にゆるみが生じても、蓋体41がケース本体40から外れるのを防止できる。
【００４７】
次に、電池16を交換する場合には、光源33および反射体15を器具本体14から外し、板ばね18を取付板25から取り外して電池ケース17を器具本体14の側面開口部27および下面開口部26を通じて天井板12の下方に取り出す。
【００４８】
板ばね18の取り外しは、取付板25の板ばね取付孔30の下方に突出配置される係止解除操作部56を取付部51側に接近するように摘むことにより、係止部54の当接部53を取付板25上から板ばね取付孔30上に強制的に移動させることにより、板ばね18を取付板25の板ばね取付孔30から下方へ取り外すことができる。
【００４９】
器具本体14から取り出した電池ケース17は、化粧ねじ42を緩めるだけで外さない状態で、蓋体41をケース本体40に対してスライドさせ、化粧ねじ42の操作部42aに蓋体41の固定孔48の孔部46を臨ませるとともに、蓋体41の係合片45をケース本体40の下面から外すことにより、蓋体41を上方へ持ち上げてケース本体40から取り外すことができる。ケース本体40内の電池16を交換した後、蓋体41をケース本体40に被せてスライドさせることにより、化粧ねじ42のねじ軸部42bに蓋体41の固定孔48の溝部47が係合し、蓋体41の係合片45がケース本体40の下面に係合し、この状態で化粧ねじ42を締め付けて蓋体41をケース本体40に固定する。
【００５０】
電池ケース17内の電池16を交換した後、上述したように照明器具11を組み立てる。
【００５１】
したがって、この照明器具11では、板ばね18を取り付けた電池ケース17を器具本体14の下面開口部26および側面開口部27を通じて天井板12の上方域に挿入し、板ばね18を取付板25の板ばね取付孔30に下方から挿入するだけで板ばね18が取付板25上に係止され、電池ケース17を器具本体14に取り付けることができ、また、板ばね18であるために取付板25から外すことができ、したがって、電池ケース17を器具本体14に容易に着脱でき、電池交換の作業性を向上できる。
【００５２】
しかも、器具本体14と電池ケース17との間に板ばね18を介在させことにより、板ばね18が振動を吸収し、器具本体14および電池ケース17の両方について振動による影響を軽減できる。
【００５３】
また、板ばね18と取付板25との係合部分を支点として電池ケース17が取付板25に対して上下方向に回動可能としているため、取付板25の板ばね取付孔30に対する板ばね18の着脱操作を容易にでき、天井板12の厚み寸法の違いにも対応できる。さらに、取付部51が取付板25の板ばね取付孔30のスリット部31に挿入されるため、電池ケース17の取付板25に対する水平方向の回動を規制でき、電池ケース17が水平方向に回動することによって天井板12の上面を傷付けたり配線などを傷付けるのを防止できる。
【００５４】
また、板ばね18の形状により、取付時には、板ばね18を折返し部52側から取付板25の板ばね取付孔30に挿入することにより、先端側が取付部25から離反するように折返し部52から傾斜状に延設されている係止部54の先端側の当接部53が取付板25上に当接して抜け止め係止できるとともに、係止部54に連結されている規制部55が取付板25の板ばね取付孔30の内面に当接して、係止部54の当接部53が取付板25上に当接した抜け止め係止状態を保持でき、そして、この抜け止め係止状態において、係止部54の当接部53が取付板25上から板ばね取付孔30上に移動して外れるには、傾斜状の係止部54が取付板25に対して立ち上がるように変位しなければならず、つまり係止部54を介して折返し部52および取付部51とともに電池ケース17の一端側が持ち上がらなければならないため、係止部54が取付板25上から外れにくくでき、また、規制部55から延設されていて取付板25の板ばね取付孔30の下方に突出配置される係止解除操作部56を操作して、係止部54の当接部53を取付板25上から板ばね取付孔30上に強制的に移動させることにより、板ばね18を取付板25の板ばね取付孔30から下方へ抜き外すことができ、板ばね18を取付板25の板ばね取付孔30に容易に着脱できる。
【００５５】
次に、図８および図９に第２の実施の形態を示し、図８は照明器具の側面図、図９は照明器具の電池ケースの側面図である。
【００５６】
前記第１の実施の形態に比べて、器具本体14の高さが低く、天井裏への突出寸法が浅い浅形の照明器具11の場合である。
【００５７】
この場合、電池ケース17の他端側が天井板12に載った状態での電池ケース17の傾斜角度が小さいため、電池ケース17のアーム部43と板ばね取付部44とのなす角度は略９０°とされている。
【００５８】
次に、図１０および図１１に第３の実施の形態を示し、図１０は電池ケースの平面図、図１１は電池ケースの側面図である。
【００５９】
電池ケース17の蓋体41の一端側に略Ｌ字形の引掛け爪71が突設され、ケース本体40には蓋体41の引掛け爪71が引っ掛けられる引掛け孔72が設けられている。
【００６０】
ケース本体40および蓋体41の側部に突片73，74をそれぞれ突設し、ケース本体40の突片73に化粧ねじ42が螺着され、蓋体41の突片74に固定孔48が形成されている。
【００６１】
そして、化粧ねじ42に緩みがあっても、引掛け爪71がケース本体40に引っ掛かっているため、蓋体41がケース本体40から外れず、電池16が脱落するのを防止できる。
【００６２】
なお、前記実施の形態では、器具本体14の取付板25に板ばね取付孔30を、電池ケース17に係止手段として板ばね18をそれぞれ設けたが、器具本体14の取付板25に板ばね18を、電池ケース17に係止手段として板ばね取付孔30をそれぞれ設けてもよく、同様の作用効果を奏する。
【図面の簡単な説明】
【００６３】
【図１】本発明の第１の実施の形態を示す照明器具の斜視図である。
【図２】同上照明器具の電池ケース取付用の板ばねの斜視図である。
【図３】同上照明器具の側面部である。
【図４】同上照明器具の平面図である。
【図５】同上照明器具の板ばね部分の拡大断面図である。
【図６】同上照明器具の電池ケースの平面図である。
【図７】同上電池ケースの側面図である。
【図８】本発明の第２の実施の形態を示す照明器具の側面図である。
【図９】照明器具の電池ケースの側面図である。
【図１０】本発明の第３の実施の形態を示す電池ケースの平面図である。
【図１１】同上電池ケースの側面図である。
【符号の説明】
【００６４】
11    照明器具
12    天井板
13    埋込孔
14    器具本体
16    電池
17    電池ケース
18    係止手段としての板ばね
19    点灯装置
25    取付板
26    下面開口部
27    側面開口部
30    板ばね取付孔
51    取付部
52    折返し部
53    当接部
54    係止部
55    規制部
56    係止解除操作部
【図１】
2008269994.tif 000003
【図２】
2008269994.tif 000004
【図３】
2008269994.tif 000005
【図４】
2008269994.tif 000006
【図５】
2008269994.tif 000007
【図６】
2008269994.tif 000008
【図７】
2008269994.tif 000009
【図８】
2008269994.tif 000010
【図９】
2008269994.tif 000011
【図１０】
2008269994.tif 000012
【図１１】
2008269994.tif 000013